(57)【特許請求の範囲】
【請求項１】
人体色情報に基づいて服飾のカラーコーディネート情報を出力するカラーコーディネート支援装置において、
前記人体色情報、及び、付与印象情報に基づいて予め設定された服飾のカラーコーディネート情報を出力するカラーコーディネート情報出力手段と、
被支援者の顔画像を入力する顔画像入力手段と、
前記顔画像入力手段によって取得された顔画像情報を記憶する顔画像情報記録手段と、
服飾形状情報を記憶する服飾形状情報記録手段と、
服飾を用いる情景情報を記憶する情景情報記録手段と、
前記顔画像情報記録手段に記憶された顔画像情報と前記服飾形状情報記録手段に記憶された服飾形状に基づいて人体形状にカラー表示すると共に、少なくとも前記顔画像の周囲に情景情報記録手段に記憶された前記情景情報を表示するカラー表示手段と、
前記カラーコーディネート情報出力手段からのカラーコーディネート情報に基づいて前記服飾形状をカラー表示する服飾カラー決定手段を
備えたカラーコーディネート支援装置。
【請求項２】
前記服飾形状情報は、少なくともネクタイを含むことを特徴とする請求項１に記載のカラーコーディネート支援装置。
【請求項３】
前記服飾形状情報は、少なくともネクタイ、シャツ、及び、ジャケットを含むことを特徴とする請求項１に記載のカラーコーディネート支援装置。
【請求項４】
前記情景情報は、少なくともビジネスシーンを含むことを特徴とする請求項１乃至３の何れかに記載のカラーコーディネート支援装置。
【請求項５】
少なくとも人体色情報に基づいて服飾のカラーコーディネート情報を出力するカラーコーディネート支援装置において、
前記人体色情報、及び、付与印象情報に基づいて予め設定された服飾のカラーコーディネート情報を出力するカラーコーディネート情報出力手段と、
被支援者の顔画像を入力する顔画像入力手段と、
前記顔画像入力手段によって取得された顔画像情報を記憶する顔画像情報記録手段と、
前記顔画像情報から肌色情報及び瞳色情報を判別する手段と、
前記判別した肌色情報及び瞳色情報を記録する身体色情報記録手段と、
少なくともネクタイ、シャツ、及び、ジャケットの服飾形状情報を記憶する服飾形状情報記録手段と、
服飾を用いる情景情報を複数記憶する情景情報記録手段と、
前記情景情報記録手段に記録された情景情報から１つの情景情報を選択する情景情報選択手段と、
前記顔画像情報記録手段に記録された顔画像情報、及び、前記服飾形状情報記録手段に記録された服飾形状に基づいて人体形状にカラー表示すると共に、少なくと前記顔画像の周囲に前記情景情報記録手段に記録された情景を表示するカラー表示手段と、
前記肌色情報、前記瞳色情報、前記印象情報、及び、前記選択された情景情報に基づいて、予め定められている前記カラーコーディネート情報出力手段におけるカラーコーディネート情報に基づいて前記各服飾におけるカラーを決定する服飾カラー決定手段と、
前記服飾カラー決定手段によって決定された服飾別のカラーによって前記各服飾を前記カラー表示手段に表示することを特徴とするカラーコーディネート支援装置。
【発明の詳細な説明】
【技術分野】
【０００１】
本発明は、個別情報機器の表示手段に被支援者の顔画像情報と共に服飾形態を人体型に表示し、複数の情報に基づいて決定された推奨カラーによって前記服飾形態を表示することで被支援者に推奨するカラーコーディネート情報を提示するカラーコーディネート支援装置に関する。
好ましくは、個別情報機器の表示手段に被支援者の顔画像情報と共に服飾形態を人体型に表示し、少なくとも対象者の肌色、瞳色及び付与印象情報に基づいて選択された推奨カラーによって、ネクタイ、シャツ、及び、ジャケットの内の少なくとも１つの前記服飾形態を表示すると共に、前記顔画像の外周に情景情報に基づく情景を表示することで被支援者に推奨するカラーコーディネート情報を提示するカラーコーディネート支援装置に関する。
特に、個別情報機器の表示手段に被支援者の顔画像情報と共に服飾形態を人体型に表示し、少なくとも被支援者の肌色、瞳色及び付与印象に関する情報に基づいて選択された推奨カラーによって、ネクタイ、シャツ、及び、ジャケットの前記服飾形態を表示すると共に前記顔画像及び服飾形態の外周に前記情景情報に基づく情景を表示することで被支援者に推奨するカラーコーディネート情報を提示するカラーコーディネート支援装置に関する。
【０００２】
本明細書における主要な用語を以下に定義する。
「人体色」とは、人の肌色、瞳色、髪色、唇色等の人の外面に表れる色をいう。
「服飾」とは、ジャケット等の上衣、ズボン等の下衣、ネクタイ、スカーフ等の衣服、及び／又は、帽子、ネックレス、ティアラ等の装身具をいう。
「被支援者」とは、カラーコーディネートを受けたい人であり、通常は個別情報機器の所有者、個別情報機器を操作する人、又は、カラーコーディネートしてあげたい人をも含んでいる。
「顔画像」とは、外見的な人の顔（含む頭）を指し、顔の輪郭に精密に沿った画像の他、顔の外側に僅かに背景等を含んでいる画像を含んでいる。
「服飾形状」とは、服飾の形状であって、大凡、ネクタイ、シャツ、ジャケット、帽子、ネックレス等の形状を推測できる程度の形状をも含んでいる。
「情景」とは、所定のイメージを思い浮かばせる光景や場面をいう。具体的にはオフィス街といえば、道路の側にビルディングが立ち並ぶ場所、セミナーといえばスクリーンが設置された壇上、会議といえば机の周囲に人がいる光景や場面をいう。
「ネクタイ」とは、主に男性の洋装において、首の周りに装飾として巻く布であり、多くの場合、ワイシャツの襟の下を通し、喉の前で結び目を作って体の前に下げる態様で用いられ、形状的にはダービー・タイ、タワーシェイプタイ、バーシェープドタイ、ボトルシェープドタイ、及び、蝶ネクタイ等を含み、素材においては布又は編み物等を含んでいる。
「シャツ」とは、上半身の体幹部に着用する衣服の一種であり、肌着の上に着用する中衣又は上着として使用するものをいい、代表例としてはワイシャツ、ポロシャツ等をいう。
「ジャケット」とは、袖つき前開きの上着をいう。
「人体形状」とは、人型を大凡表す形状をいい、全身形状の他、上半身形状のみであってもよい。
「ビジネスシーン」とは、仕事として事に当たる場面である。
【背景技術】
【０００３】
第１の従来技術として本願発明者が考案した、対象者の内面の属性を示す内面属性情報を入力する内面属性入力手段と、対象者の外見の属性を示す外見属性情報を入力する外見属性入力手段と、予め決められた複数の服や身飾品からなる複数の要素についての上位分類色を各々規定した複数の色組み合わせパターンが規定されている場合に、複数の前記色組み合わせパターンで各々が構成される色組み合わせパターン群と、前記外見属性情報との対応付けを示す第１の対応付け情報を記憶する第１の記憶手段と、前記色組み合わせパターンと前記内面属性情報との対応付けを示す第２の対応付け情報を記憶する第２の記憶手段と、前記入力された前記外見属性情報に対応付けされた前記色組み合わせパターン群を前記第１の対応付け情報を基に特定する色組み合わせパターン群特定手段と、前記色組み合わせ群特定手段によって特定された前記色組み合わせパターン群を構成する複数の前記色組み合わせパターンのなかで、前記入力された前記内面属性情報に対応付けされた前記色組み合わせパターンを前記第２の対応付け情報を基に特定する色組み合わせパターン特定手段と、前記特定された前記外見属性に関して予め決められた項目の属性について、前記上位分類色と対応付けられた下位分類色を規定する第３の対応付け情報を記憶する第３の記憶手段と、前記色組み合わせパターン特定手段が特定した前記色組み合わせパターンのそれぞれの前記要素の前記上位分類色と、前記入力された外見属性情報と、前記第３の対応付け情報とを基に、前記色組み合わせパターン特定手段が特定した前記色組み合わせパターンが規定する前記複数の要素についての前記下位分類色を選択する色選択手段と、を有するカラーコーディネート装置が知られている(例えば、特許文献１参照)。
第２の従来技術として本願発明者が考案した、予め複数のイメージから希望するイメージを選択するイメージ選択手段と、予め決められた複数の服や身飾品からなる複数の要素についての上位分類色を各々規定した複数の色組み合わせパターンが規定されている場合に、前記複数の色組み合わせパターンと、前記イメージとの対応付けを示す第１の対応付け情報を記憶する第１の記憶手段と、前記選択されたイメージに対応付けられた前記色組み合わせパターンを前記第１の対応付け情報を基に特定する色組み合わせパターン特定手段と、対象者の外見に関して予め決められた項目の属性について、前記上位分類色と対応付けられた下位分類色を規定する第２の対応付け情報を記憶する第２の記憶手段と、前記特定した色組み合わせパターンのそれぞれの要素の上位分類色と、対象者の外見に関する前記項目の属性と、前記第２の対応付け情報とを基に、前記特定した前記色組み合わせパターンが規定する前記複数の要素についての下位分類色を選択する色選択手段とを有するカラーコーディネート装置が知られている(例えば、特許文献２参照)。
第３の従来技術として、ユーザ及び／または店舗のファッションにおける衣服、靴、アクセサリー及び小物のうちの少なくとも一つに関する画像情報及び／もしくは文字情報であるファッションアイテム情報及びユーザのファッションにおける顔、身体、髪型、髭のうちの少なくとも一つに関する画像情報及び／もしくは文字情報であるファッションスタイル情報を入力するファッション情報入力部と、前記ファッション情報を出力するファッション情報出力部と、ユーザのファッションに係るコーディネートを編集及び実行するファッションコーディネート編集実行部と、端末の画面にファッションコーディネートに係るグラフィカルな操作表示を提供するファッションコーディネート操作画面表示手段と、ネットワークを介して前記ファッション情報の送受信をするファッションコーディネート通信部と、前記ファッション情報を記憶するファッション情報記憶部とを具備することを特徴とするファッションコーディネート個別情報機器が知られている(例えば、特許文献３参照)。
さらに、第４の従来技術として、ネクタイ、衣服、靴を含む男性用商品であり男性のコーディネート対象者が身に付けることで当該コーディネート対象者の外見上の印象を形成する印象形成要因として機能する男性用のコーディネート用商品についての商品情報及び／又は売り場位置情報と、前記コーディネート用商品を用いたコーディネートのためのアドバイス情報とから選択される１以上の情報を含む男性用のコーディネート支援情報を消費者に提供するコーディネート支援システムであって、
前記コーディネート支援情報を、コーディネート対象者に備わっている顔の肌色のベースカラータイプと、髪色と、顔の造作及び／又は挙動特性と、顔の肌色の明度とを判定条件として判定する印象タイプと関連付けて管理する管理装置と、この管理装置に対して情報の送受信を行う個別情報機器とを有し、
前記管理装置は、個別情報機器から入力された前記ベースカラータイプ及び前記髪色のデータに基づいて印象ベースタイプを判定し、判定した印象ベースタイプに対応して、顔の肌色の明度、及び、顔の造作及び／又は挙動特性のデータをコーディネート対象者から取得するための質問情報を個別情報機器に送出し、前記質問情報に対する回答として個別情報機器から受信した情報に基づいて印象タイプを判定し、判定した印象タイプに対応するコーディネート支援情報を個別情報機器に送出する情報処理部を有することを特徴とするコーディネート支援システムが知られている(例えば、特許文献４参照)。
さらにまた、第５の従来技術として、撮影した顔情報を所定の服飾と結合して表示することが知られている(例えば、特許文献５参照)。
【先行技術文献】
【特許文献】
【０００４】
【特許文献１】実用新案登録第３１９００６６号（図1〜図9、段落番号0009〜0028）
【特許文献２】実用新案登録第３１８９５２９号（図1〜図9、段落番号0009〜0018）
【特許文献３】特開２００９−９９１４３（図1〜図10、段落番号0087〜0164）
【特許文献４】特開２００６−２４２０３（図1〜図28、段落番号0011〜0072）
【特許文献５】特開２００２−２１８２１９（図1〜図8、段落番号0037〜0059）
【発明の概要】
【発明が解決しようとする課題】
【０００５】
第1の従来技術においては、内面属性入力手段から入力されたスイート、ハッピー、元気、粋等の内面情報と、瞳色、髪色、肌色等の外面属性入力手段から入力された外面情報とが入力され、
前記瞳色、髪色、肌色等の外面情報に基づいて設定される色組み合わせパターン群を、服や身飾品からなる複数の要素についての上位分類色を各々規定した複数の色組み合わせパターンを第１の記憶手段に記憶し、
また、スイート、ハッピー、元気、粋等の内面情報と第１の記憶手段に記憶した前記色組み合わせパターン群との対応付けを第２の記憶手段に記憶しておき、
さらに、第３の記憶手段に記憶された前記外面属性に関して予め決められた項目の属性について、前記上位分類色と対応付けられた下位分類色を規定する第３の対応付け情報を記憶しておき、
色選択手段によって、入力された外面情報と内面情報とより、第２の記憶手段に記憶された服等の上位色の色組み合わせパターンをパターン特定手段によって特定した後、前記外面情報によって前記先に特定された上位色の色組み合わせパターンに対し対応する下位分類色を特定するようにしたものである。
この第１の従来技術においては、洋服などの色を選ぶ際に参考となる情報が提供されることから、内面情報に基づいた適切なコーディネートにおける悩みが軽減される効果がある。
しかし、第１の従来技術においては、単に洋服と装飾品とのカラーコーディネート情報が提供されるのみであり、被支援者が着用した状態のイメージは、被支援者の頭の中で想像しなければならず、被支援者のイメージが困難な場合があるという問題があった。
第２の従来技術においては、イメージ選択手段から入力された協調性がある、真面目である、判断力がある、又は、おおらかである等のイメージ情報が入力され、
服や身飾品からなる複数の要素についての上位分類色を各々規定した複数の色組み合わせパターンと前記イメージ情報との対応付けを第１の記憶手段に記憶し、
色組み合わせパターン特定手段によって、前記色組み合わせパターンを特定し、
第２の記憶手段に対象者の外見に関して予め決められた項目の属性について、前記上位分類色と対応付けられた下位分類色を規定する第２の対応付け情報を記憶してなり、
色選択手段によって、前記特定した色組み合わせパターンのそれぞれの要素の上位分類色と、対象者の外見に関する前記項目の属性と、前記第２の対応付け情報とを基に、前記特定した前記色組み合わせパターンが規定する前記複数の要素についての下位分類色を選択するするようにしたものである。
この第２の従来技術においても、第１の従来技術と同様に、適切なコーディネートにおける悩みが軽減される効果がある。
しかし、第２の従来技術においても、単に洋服と装飾品とのカラーコーディネート情報が提供されるだけであり、被支援者が着用した状態のイメージは被支援者の頭の中で想像しなければならず、被支援者のイメージが困難な場合もあるという問題があった。
第３の従来技術においては、ファッション情報入力部にてデジタルカメラやスキャナを含む各種機器のうち少なくとも１つを含む画像個別情報機器やキーボードやタッチパネルを含む各種機器のうち少なくとも１つを含む文字情報入力機器から入力された各種情報を所定の処理により認識し、ファッション情報出力部にて所定の画像情報や文字情報を他の情報端末に転送し、ファッションコーディネート編集実行部にて画像情報や文字情報の所定の処理を実行し、ファッションコーディネート編集実行部にて所定の画面表示処理された画面をファッションコーディネート操作画面表示手段にて表示し、ファッションコーディネート通信部にて画像情報や文字情報を、ネットワークを介して送受信し、ファッション情報記憶部にて所定の記憶構造により画像情報や文字情報を格納しておくため、ユーザ及び／または店舗はファッションコーディネートを情報端末により行うことができる。
しかし、この第３の従来技術においても、単に洋服と装飾品とのカラーコーディネート情報が提供されるだけであり、被支援者が装着した状態のイメージは被支援者の頭の中で想像しなければならず、被支援者のイメージが困難な場合もあるという問題があった。
第４の従来技術においては、個別情報機器から入力された印象基礎要因のデータに基づいて判定される印象タイプに対応して、予め印象タイプ毎に分類しておいたコーディネート支援情報の中から、判定された印象タイプに対応するコーディネート支援情報を管理装置から個別情報機器に送出することで、コーディネート支援情報を本コーディネート支援システムのユーザー（被支援者）に提供できるので、コーディネート対象者に備わっている印象基礎要因とのミスマッチを防止でき、マッチングの良いコーディネートを実現でき、これにより、効果的な「印象作り」の支援を効率良く実現できる利点がある。
この第４の従来技術においては、引用文献４における図15に示されるように、コーディネートされたファッションをイラスト上の服飾に着色表示することが開示されている。
しかし、第４の従来技術においては、イラスト上の服飾が着色されるので、印象基礎要因のデータに基づいて判定される印象タイプに対応してファッションがコーディネートされるため、被支援者が着用した状態のイメージは被支援者の頭の中で想像しなければならず、イメージが困難な場合もあるという問題があった。
さらに、より一層現実的なカラーコーディネート印象を被支援者に与えるため、第４の従来技術と第５の従来技術とを組み合わせることが容易に考えられる。
しかし、第４の従来技術と第５の従来技術とを組み合わせた場合であっても、表示装置に表示されるのは、被支援者の顔画像と衣服形態の組み合わせであり、カラー情報は単に四角で囲われた範囲に表示されるのみであから、該当する服装は着色されず、カラーコーディネートをイメージすることが困難な場合がある。
【０００６】
本発明の基本的目的である第１の目的は、服飾のカラーコーディネートの被支援者が、被支援者に適合するかどうかの判断がしやすいカラーコーディネート支援装置を提供することである。
本発明の従たる目的である第２の目的は、推奨済みのカラーコーディネート情報を再利用できるカラーコーディネート支援装置を提供することである。
本発明の従たる目的である第３の目的は、服飾のコーディネートの被支援者が、使用状況下において被支援者に適合するかどうかをより一層判断しやすいカラーコーディネート支援装置を提供することである。
本発明の従たる目的である第４の目的は、ネクタイのカラーコーディネートの被支援者が、被支援者に適合するかどうかの判断がしやすいカラーコーディネート支援装置を提供することである。
本発明の従たる目的である第５の目的は、ネクタイ、シャツ、及び、ジャケットの内、少なくとも２つのカラーコーディネートの被支援者が、被支援者に適合するかどうかの判断がしやすいカラーコーディネート支援装置を提供することである。
本発明の従たる目的である第６の目的は、ビジネスシーンにおける服飾のカラーコーディネートの被支援者が、被支援者に適合するかどうかの判断がしやすいカラーコーディネート支援装置を提供することである。
本発明の従たる目的である第７の目的は、服飾のカラーコーディネートの被支援者が、被支援者に適合するかどうかの判断がより一層しやすいカラーコーディネート支援装置を提供することである。
【課題を解決するための手段】
【０００７】
この目的を達成するため、請求項１に係る発明は以下のように構成されている。
人体色情報に基づいて服飾のカラーコーディネート情報を出力するカラーコーディネート支援装置において、
前記人体色情報、及び、付与印象情報に基づいて予め設定された服飾のカラーコーディネート情報を出力するカラーコーディネート情報出力手段と、
被支援者の顔画像を入力する顔画像入力手段と、
前記顔画像入力手段によって取得された顔画像情報を記憶する顔画像情報記録手段と、
服飾形状情報を記憶する服飾形状情報記録手段と、
服飾を用いる情景情報を記憶する情景情報記録手段と、
前記顔画像情報記録手段に記憶された顔画像情報と前記服飾形状情報記録手段に記憶された服飾形状に基づいて人体形状にカラー表示すると共に、少なくとも前記顔画像の周囲に情景情報記録手段に記憶された前記情景情報を表示するカラー表示手段と、
前記カラーコーディネート情報出力手段からのカラーコーディネート情報に基づいて前記服飾形状をカラー表示する服飾カラー決定手段を
備えたカラーコーディネート支援装置である。
【０００８】
第２の発明は、人体色情報に基づいて服飾のカラーコーディネート情報を出力するカラーコーディネート支援装置において、
前記人体色情報、及び、付与印象情報に基づいて予め設定された服飾のカラーコーディネート情報を出力するカラーコーディネート情報出力手段と、
被支援者の顔画像情報を入力する顔画像入力手段と、
前記顔画像入力手段によって取得された顔画像情報を記憶する顔画像情報記録手段と、
服飾形状情報を記憶する服飾形状情報記録手段と、
前記顔画像情報記録手段に記憶された顔画像情報と前記服飾形状情報記録手段に記憶された服飾形状情報に基づいて人体形状にカラー表示するカラー表示手段と、
前記カラーコーディネート情報出力手段からのカラーコーディネート情報に基づいて前記服飾形状をカラー表示する服飾カラー決定手段と、
前記服飾カラー決定手段によって決定され、かつ、前記カラー表示手段に表示されたカラーコーディネート情報を被支援者の選択に基づいて記録する選択カラーコーディネート情報記録手段と、
前記選択カラーコーディネート情報記録手段に記録されたカラーコーディネート情報を前記カラー表示手段に表示させる再表示指令手段と、
を備えたカラーコーディネート支援装置である。
【００１０】
請求項２に係る発明は、前記服飾形状情報は、少なくともネクタイを含むことを特徴とする請求項１に記載のカラーコーディネート支援装置である。
【００１１】
請求項３に係る発明は、前記服飾形状情報は、少なくともネクタイ、シャツ、及び、ジャケットを含むことを特徴とする請求項１に記載のカラーコーディネート支援装置である。
【００１２】
請求項４に係る発明は、前記情景情報は、少なくともビジネスシーンを含むことを特徴とする第１乃至３の発明の何れかに記載のカラーコーディネート支援装置である。
【００１３】
請求項５に係る発明は、少なくとも、人体色情報に基づいて服飾のカラーコーディネート情報を出力するカラーコーディネート支援装置において、
前記人体色情報、及び、付与印象情報に基づいて予め設定された服飾のカラーコーディネート情報を出力するカラーコーディネート情報出力手段と、
被支援者の顔画像情報を入力する顔画像入力手段と、
前記顔画像入力手段によって取得された顔画像情報を記憶する顔画像情報記録手段と、
前記顔画像情報から肌色情報及び瞳色情報を判別する手段と、
前記判別した肌色情報及び瞳色情報を記録する色情報記録手段と、
少なくともネクタイ、シャツ、及び、ジャケットの服飾形状情報を記憶する服飾形状情報記録手段と、
服飾を用いる情景情報を複数記憶する情景情報記録手段と、
前記情景情報記録手段に記録された複数の情景情報から１つの情景情報を選択する情景情報選択手段と、
前記顔画像情報記録手段に記録された顔画像情報、前記服飾形状情報記録手段に記録された服飾形状に基づいて人体形状にカラー表示すると共に、少なくと前記顔画像の周囲に前記情景情報記録手段に記録された情景を表示するカラー表示手段と、
前記肌色情報、前記瞳色情報、前記印象情報、及び、前記選択された情景情報に基づいて、予め定められている前記カラーコーディネート情報出力手段におけるカラーコーディネート情報に基づいて前記角服飾におけるカラーを決定する服飾カラー決定手段と、
前記服飾カラー決定手段によって決定された服飾別のカラーによって前記各服飾を前記カラー表示手段に表示することを特徴とするカラーコーディネート支援装置である。
【発明の効果】
【００１４】
請求項１に係る発明において、被支援者の顔画像情報が顔画像入力手段から入力され、顔画像情報記録手段に記憶される。
一方、服飾形状情報記録手段にはネクタイ、シャツ、ジャケット等の服装形状情報、及び／又は、ポケットチーフ、ネックレス等の服飾形状情報が記憶されている。
そして、カラー表示手段は顔画像情報記録手段に記憶された顔画像情報と、服飾形状情報記録手段に記憶された服飾形状情報とに基づいて、例えば、顔を上側に、かつ、服飾形状を人体形状に組み合わせて表示する。
さらに、服飾カラー決定手段は、人体色に基づいて予め設定されている服飾毎のカラーコーディネートテーブルに記録されているカラーコーディネート情報から、入力された人体色情報、及び、付与印象情報に合致する情報を検索特定し、カラーコーディネート情報をカラーコーディネート情報出力手段から出力する。
そして、当該カラーコーディネート情報に基づいて該当する前記服飾形状情報によって特定される服飾を着色表示する。
したがって、被支援者は当該カラー表示手段に、被支援者の顔画像と共に着色表示された服飾形状とが人体形状に目視できることから、頭の中でイメージするまでもなく、当該服飾の推奨コーディネートを確認することができ、被支援者が、適合するかどうかの判断がしやすく、本願発明の基本的目的である第1の目的を達成できる利点がある。なお、本発明に係るカラーコーディネート支援を受けるのは、個別情報機器の被支援者たる被支援者である。被支援者は、基本的には当該服飾の装着者であるが、被支援者たる装着者と特別な関係にある者、例えば、婚姻関係にある者が支援を受ける場合もあり、この場合、被支援者と顔画像情報は一致しないが、この場合も本発明における被支援者の顔画像情報であるとするものである。
また、請求項２乃至５の発明においては、本願発明の基本的目的たる第１の目的以外の目的も達成できるが、少なくとも第３の目的を達成できれば、本願発明の技術的範囲に属するものである。
【００１５】
第２の発明においては、第１の発明と同様に、被支援者の顔画像情報が顔画像入力手段から入力され、顔画像情報記録手段に記憶される。
一方、服飾形状情報記録手段にはネクタイ、シャツ、ジャケット等の服装形状情報が記憶されている。
そして、カラー表示手段は顔画像情報記録手段に記憶された顔画像と、服飾形状情報記録手段に記憶された服飾形状情報とに基づいて、例えば、顔を上側に、かつ、服飾形状を下側に配置して人体形状に組み合わせて表示する。
さらに、服飾カラー決定手段は、人体色に基づいて予め設定されている服飾毎のカラーコーディネートテーブルにおいて、被支援者によって入力された人体色情報、及び、付与印象情報に合致する人体色情報及び付与印象情報の組み合わせを検索特定し、当該人体色情報及び付与印象情報に対し予め設定された服飾毎のカラーコーディネート情報をカラーコーディネート情報出力手段から出力する。
そして、出力された当該カラーコーディネート情報に基づいて、該当する服飾を着色表示する。
したがって、被支援者は当該表示手段に人型に表示された、被支援者の顔画像と共に、着色表示された服飾を目視できることから、頭でイメージするまでもなく当該推奨コーディネートを確認することができ、被支援者が、自分に適合するかどうかの判断がしやすく、本願発明の基本的目的である第１の目的を達成できる利点がある。
さらに、前記カラー表示手段に表示されたカラーコーディネート情報を被支援者の選択に基づいて記録する選択カラーコーディネート記録手段を有するので、過去に支援を受けたカラーコーディネートを保管でき、また、再表示手段によって記憶した選択カラーコーディネート情報を再度、カラー表示手段に表示できるので、短時間で支援を受けることができ、本願発明の従的な目的である第２の目的を達成できる利点がある。
【００１６】
カラー表示手段は前記顔画像の左右側方に前記情景情報記録手段に記憶された情景を表示するので、推奨されたカラーコーディネートが、当該服飾が装着される情景にも適合するかどうかの判断がしやすい利点があり、本願発明の第３の目的を達成できる利点がある。
【００１７】
請求項２に係る発明においては、服飾形状情報は、少なくともネクタイを含んでいるので、ネクタイのカラーコーディネート情報が出力され、ネクタイ形状に着色表示されることから、服飾において大きな影響を与えるネクタイのカラー選びが容易になり、本願発明の第３の目的に加え、本願発明の従的目的たる第４の目的が達成できる利点がある。
【００１８】
請求項３に係る発明においては、服飾において、ネクタイ、シャツ、及び、ジャケットを含むので、ネクタイ、シャツ、及び、ジャケットのカラーコーディネート情報が出力され、それぞれ、ネクタイ形状、シャツ形状、及び、ジャケット形状に着色表示されることから、ネクタイ、シャツ、及び、ジャケットのカラーコーディネートの適否判断が容易になり、第３の目的に加え、本願発明の従的目的たる第５の目的が達成できる利点がある。
【００１９】
請求項４に係る発明においては、情景情報には少なくともビジネスシーンを含み、カラー表示装置において、顔画像の周囲に情景を表示することから、擬似的にカラーコーディネートされた服飾を身につけている被支援者を当該情景において目視確認できるので、服飾のカラーコーディネートの適否判断が容易になり、第３の目的に加え、本願発明の従的目的たる第６の目的が達成できる利点がある。
【００２０】
請求項５に係る発明においては、顔画像入力手段によって取得された顔画像情報が顔画像情報記録手段に記憶される。
肌色入力手段は前記顔画像情報に基づいて肌色を判別し、肌色情報を出力する。
瞳色入力手段は前記顔画像情報に基づいて瞳色を判別し、瞳色情報を出力する。
判別された肌色情報及び瞳色情報は人体色情報記録手段に記録される。
服飾形状情報記録手段は、少なくともネクタイ、シャツ、及び、ジャケットの服飾形状情報を記憶している。
情景情報記録手段には服飾を着用する情景情報が複数記録されている。
前記情景情報記録手段に記録された情景情報の内の１つが、情景情報選択手段によって選択される。
カラー表示手段は、前記顔画像情報記録手段に記録された顔画像情報、前記服飾形状情報記録手段に記録された服飾形状に基づいて人体形状にカラー表示すると共に、少なくとも前記顔画像の左右両側に前記情景情報選択手段によって選択された情景を表示する。
服飾カラー決定手段は、肌色情報、瞳色情報、及び、印象情報に基づいて予め定められているカラーコーディネートテーブルから、前記入力された肌色情報、瞳色情報、及び、印象情報に合致する情報を検索特定し、当該合致した情報に設定されている服飾毎のカラーコーディネート情報を、カラーコーディネート情報出力手段から出力する。
前記服飾カラー決定手段によって決定された服飾別のカラーによって前記各服飾をカラー表示手段に表示する。
したがって、カラー表示手段に表示された人型の被支援者の顔画像と服飾形状が、選択された服飾毎のカラーによって表示される。さらに、被支援者の顔画像の少なくとも左右には情景情報に基づいて情景が表示される。結果として、被支援者はカラー表示装置に表れた画像を目視することによって、一層臨場感のある状況において服飾の適否を判断することができるので、第３の目的を達成できると共に、判断がより一層しやすいので、第7の目的を達成できる利点がある。
【図面の簡単な説明】
【００２１】
【図１】図１は、本発明にかかる実施例のカラーコーディネート支援装置の全体概要図である。
【図２】図2は、本発明にかかる実施例のカラーコーディネート支援装置における個別情報機器の正面図である。
【図３】図3は、本発明にかかる実施例のカラーコーディネート支援装置における個別情報機器のブロック図である。
【図４】図4は、本発明にかかる実施例のカラーコーディネート支援装置における管理サーバのブロック図である。
【図５】図5は、本発明にかかる実施例のカラーコーディネート支援装置に用いる情景の一例であり、（Ａ）はビジネス街、（Ｂ）は会議、（Ｃ）は夜の街である。
【図６】図6は、本発明にかかる実施例のカラーコーディネート支援装置における、予め定められたカラーコーディネートテーブルの一例である。
【図７】図7は、本発明にかかる実施例のカラーコーディネート支援装置における管理サーバと個別情報機器の作用を説明するためのフローチャートである。
【図８】図8は、本発明にかかる実施例のカラーコーディネート支援装置における作用を説明するための、個別情報機器におけるカラー表示装置のスタート画面である。
【図９】図9は、本発明にかかる実施例のカラーコーディネート支援装置における作用を説明するための、個別情報機器におけるカラー表示装置のガイダンス画面である。
【図１０】図10は、本発明にかかる実施例のカラーコーディネート支援装置における作用を説明するための、個別情報機器におけるカラー表示装置の顔撮影画面である。
【図１１】図11は、本発明にかかる実施例のカラーコーディネート支援装置における作用を説明するための、個別情報機器におけるカラー表示装置の顔画像保存画面である。
【図１２】図12は、本発明にかかる実施例のカラーコーディネート支援装置における作用を説明するための、個別情報機器におけるカラー表示装置の情景選択画面である。
【図１３】図13は、本発明にかかる実施例のカラーコーディネート支援装置における作用を説明するための、個別情報機器におけるカラー表示装置の情景保存画面である。
【図１４】図14は、本発明にかかる実施例のカラーコーディネート支援装置における作用を説明するための、個別情報機器におけるカラー表示装置の付与印象選択画面である。
【図１５】図15は、本発明にかかる実施例のカラーコーディネート支援装置における作用を説明するための、個別情報機器におけるカラー表示装置の推奨カラー説明画面である。
【図１６】図16は、本発明にかかる実施例のカラーコーディネート支援装置における作用を説明するための、個別情報機器におけるカラー表示装置の推奨カラーコーディネート画面である。
【図１７】図17は、本発明にかかる実施例のカラーコーディネート支援装置における作用を説明するための、個別情報機器におけるカラー表示装置の推奨ネクタイカラーコーディネート画面である。
【図１８】図18は、本発明にかかる実施例のカラーコーディネート支援装置における作用を説明するための、個別情報機器におけるカラー表示装置の服飾推奨カラーコーディネート画面である。
【図１９】図19は、本発明にかかる実施例のカラーコーディネート支援装置における作用を説明するための、個別情報機器におけるカラー表示装置の推奨カラーコーディネート保存画面である。
【図２０】図20は、本発明にかかる実施例のカラーコーディネート支援装置における作用を説明するための、個別情報機器におけるカラー表示装置の過去の推奨カラーコーディネートの再読み込み画面である。
【図２１】図21は、本発明にかかる実施例のカラーコーディネート支援装置における作用を説明するための、個別情報機器におけるカラー表示装置の第2選択画面である。
【発明を実施するための形態】
【００２２】
本発明の最良の形態は、被支援者の顔画像情報を入力する顔画像入力手段と、
前記顔画像入力手段によって取得された顔画像情報を記憶する顔画像情報記録手段と、
前記顔画像情報から肌色情報及び瞳色情報を判別する手段と、
前記判別した肌色情報及び瞳色情報を記録する色情報記録手段と、
少なくともネクタイ、シャツ、及び、ジャケットの服飾形状情報を記憶する服飾形状情報記録手段と、
服飾を用いる情景情報を複数記憶する情景情報記録手段と、
前記情景情報記録手段に記録された複数の情景情報から１つの情景情報を選択する情景情報選択手段と、
前記顔画像情報記録手段に記録された顔画像情報、前記服飾形状情報記録手段に記録された服飾形状に基づいて人体形状にカラー表示すると共に、少なくとも前記顔画像の両側に前記情景情報記録手段に記録された情景情報を表示するカラー表示手段と、
前記肌色情報、前記瞳色情報、前記印象情報、及び、前記選択された情景情報に基づいて、予め定められている前記カラーコーディネート情報出力手段におけるカラーコーディネート情報に基づいて前記角服飾におけるカラーを決定する服飾カラー決定手段を含み、
前記服飾カラー決定手段によって決定された服飾別のカラーによって前記各服飾を前記カラー表示手段に表示してなり、
さらに、前記服飾カラー決定手段によって決定され、かつ、前記カラー表示手段に表示されたカラーコーディネート情報を被支援者の選択に基づいて記録する選択カラーコーディネート情報記録手段と、
前記選択カラーコーディネート情報記録手段に記録されたカラーコーディネート情報を前記カラー表示手段に表示させる再表示指令手段と、
を含むことを特徴とするカラーコーディネート支援装置である。
【実施例】
【００２３】
本実施例に係るカラーコーディネート支援装置100は、図１に示すように、大まかには、個別情報機器102-1〜102-n、インターネット通信回線104、当該インターネット通信回線104に接続された管理サーバ106、及び、個別情報機器102とインターネット通信回線104とを接続する公衆通信回線108を含んでいる。
【００２４】
まず個別情報機器102-1〜102-nが、主に図2及び図3を参照して説明される。
個別情報機器102は、被支援者APの顔画像情報FII、印象情報GII、情景情報SI、保管選択指令KSI、保管指令KI、再表示指令RVI、及び、人体色情報HCI等を出力し、かつ、人的インターフェースとしての表示をする機能を有する。換言すれば、少なくとも管理サーバ106との双方向通信機能、表示機能、及び、所定事項の入力機能を有する携帯型個別情報機器、又は、設置型個別情報機器を用いることができる。携帯型個別情報機器としては、例えば、スマートフォンやタブレット端末、ウェアラブルコンピュータ等を用いることが出来、設置型個別情報機器としては、ディスクトップ型パーソナルコンピュータやノート型パーソナルコンピュータを用いることができる。しかし、既知のこれらの個別情報機器に限らず、将来登場し得る同様の機能を有する個別情報機器をも含む概念である。したがって、個別情報機器102は、前記機能と同一の機能を有すれば上記以外のものを採用することができる。本実施例において、個別情報機器102は、所謂スマートフォンが用いられ、また、被支援者AP、したがって、個別情報機器102は極めて多数であることを前提としているので、同一符号の102に-1〜-nを付記するが、特に限定する必要がない場合、-1〜-nを付記せずに単に符号102を用いる。
本実施例の個別情報機器102は、外観的には図２に示すように、正面視、大凡縦長の箱形であり、表側の大凡全域が平面的なカラー表示手段110が配置されている。このカラー表示手段110には、その全域に入力手段112、例えば公知のタッチパネル114が配置され、カラー表示手段110に表示されたボタン部113に対応する位置への人体等のタッチによって、当該タッチパネル114から信号が出力され、当該ボタン部に対応する処理が実行されるようになっている。
カラー表示手段110の上端部中央部には撮像用のカメラ115が配置されている。
【００２５】
次に個別情報機器102の物理的構成を主に図３を参照しつつ説明する。
個別情報機器102は所謂小型のコンピュータであり、ハードウエアとしては、少なくともCPU（Central Processing Unit）116、ROM（Read Only Memory）118、RAM（Random Access Memory）120、クロック122、及び、カラー表示手段110を含み、CPU116はクロック122からのクロック信号に依存してROM118に記録されたプログラム、及び、入力手段112から入力された入力情報に基づいて、RAM120に各種情報を記憶消去しつつ所定の処理を実行し、カラー表示手段110に所定の情報を表示する。
【００２６】
最初にCPU116を説明する。
CPU116は、前述のようにROM118に記録されたプログラム及び入力手段112からの入力情報に基づいて所定の処理を実行する機能を有し、所謂マイクロプロセッサ等が用いられる。
【００２７】
次にROM118を説明する。
ROM118は、プログラムを記録する機能を有し、通常、読み出しのみ又は書き込み可能型の半導体メモリーが用いられる。
【００２８】
次にRAM120を説明する。
RAM120は、情報を随時書き込み又は消去できる機能を有し、通常、随時書き込み及び消去型の半導体メモリーが用いられる。
【００２９】
次にクロック122を説明する。
クロック122は、クロック同期設計のデジタル論理回路であるCPU等が動作する際に用いるためのクロック信号を出力する機能を有し、公知のクロック生成回路によって構成される。
【００３０】
次にカラー表示手段110を説明する。
カラー表示手段110は、CPU116からの指令に基づいて所定位置に所定の態様で画像情報や文字情報をカラー表示する機能を有し、表示位置形状決め手段110Lとディスプレイ110Dとを含んでいる。
表示位置形状決め手段110Lは、後述の服飾形状記録手段194からの服飾形状情報CSI及び服飾位置情報CLIに基づいて、顔画像情報FIIと共にディスプレイ110Dに表示する機能を有し、公知のグラフィック回路が用いられる。
ディスプレイ110Dは公知の液晶ディスプレイ、エレクトロルミネセンス（Electroluminescence）CRT、又は、プラズマディスプレイ等を用いることができるが、本実施例では液晶ディスプレイが用いられる。
【００３１】
次に入力手段112を主に図３を参照しつつ説明する。
入力手段112は、カラーコーディネート情報CCIを出力するために必要な情報、及び、プログラムに対し指令するためのコマンドをCPUに対し出力する機能を有し、本実施例においては、顔情報入力手段124、付与印象入力手段126、情景情報入力手段128、保管選択手段130、保管指令手段132、再表示指令手段134、及び、人体色入力手段135を含んでいる。
【００３２】
まず、顔情報入力手段124を説明する。
顔情報入力手段124は、被支援者APの顔に関する画像を入力する機能を有し、個別情報機器102に付設されているカメラ115を用いて被支援者APの顔を撮影し、当該撮影した顔の顔画像情報FIIをCPU116に対し出力する。しかし、別のデジタルカメラ等によって予め撮影した被支援者APの顔画像情報FIIを、個別情報機器102に設けた接続端子（図示せず）を介してCPU116に対し出力することができる。
例えば、図10に示すように、個別情報機器102のカラー表示手段110に入力する顔の大きさを示す楕円形の顔枠136を表示し、また、カラー表示手段110の所定位置、本実施例ではディスクプレイ110Dの下部にカメラ115の撮影ボタン138、及び、撮影を再度行うやり直しボタン140を並列に表示し、被支援者APが自己の顔の大きさが丁度、顔枠136内に収まる状態において撮影ボタン138部のタッチパネル114をタッチするとカメラ115が撮影し、当該撮影された顔画像情報FIIが一時的にRAM120に記録される。次に、図11に示すように、ディスクプレイ110Dの所定位置に表示される保存ボタン141に対応するタッチパネル114をタッチすると、後述の顔画像情報記録手段136に記録される。やり直しボタン140に対応する位置のタッチパネル114がタッチされた場合、前記のようにRAM120に記録された顔画像情報FIIは消去され、被支援者APは前述の撮影を繰り返す。
【００３３】
次に、付与印象入力手段126を説明する。
付与印象入力手段126は、被支援者APが他の人々からどの様に見られたいか、換言すれば、他の人に与えたい印象、更に換言すれば、印象情報GIIを入力する機能を有する。本実施例においては、後述する印象情報記録手段142に記録された複数の印象情報GIIから選択するようになっている。印象情報GIIとしては、「リーダーシップ感を与えたい」、「目立った印象を与えたい」、「落ち着き感を与えたい」、「楽しい印象を与えたい」、「清潔感を与えたい」等であり、これら複数の印象情報GIIを、例えば図14に示すように、ディスプレイ110Dに表示すると共に、後述の選択ボタン146〜154の何れかに対応する位置のタッチパネル114に対するタッチによって、選択した印象情報G11が選択印象情報記録手段144に記録されるようになっている。
なお、カラー表示手段110に印象情報GIIを表示する際、被支援者APの主観的印象を表示するようにしても良い。例えば、「リーダーシップ感を与えたい」の場合「リーダーシップを発揮したい」、「目立った印象を与えたい」の場合「大勢の前で目立ちたい」、「落ち着き感を与えたい」場合「落ち着いてみられたい」、「楽しい印象を与えたい」の場合「楽しい人に見られたい」、「清潔感を与えたい」の場合「清潔感を出したい」にすることができる。
例えば、図14に示すように、リーダーシップを発揮したいボタン146、大勢の前で目立ちたいボタン148、落ち着いてみられたいボタン150、楽しい人に見られたいボタン152、清潔感を出したいボタン154等を表示し、当該ボタンに対応する位置のタッチパネル114がタッチされた場合、選択印象情報記録手段144に、当該選択された印象情報GIIが記録されるようになっている。
【００３４】
次に、情景情報入力手段128を説明する。
情景情報入力手段128は、後述の情景情報記録手段143に記録され、被支援者APがカラーコーディネートをした服飾を着用して付与印象入力手段126によって選択した印象を与えたい場所や状況を選択する機能を有する。本実施例においては、後述する情景情報記録手段143に記録された複数の情景情報SIの内の１つを選択するようになっている。情景情報SIとしては、図５に示す（Ａ）オフィス街OS、（Ｂ）会議MS、（Ｃ）夜の街NSの他、公園、パーティー、セミナー等があり、本実施例においては図５に示した（Ａ）乃至（Ｃ）に示す写真又はイラストが採用されている。しかし、各情景情報SIは、写真又はイラストに限定されず、他の手段を採用することができる。さらに、被支援者APが撮影した写真を入力することもできる。
具体的には、図12に示すように、オフィス街ボタン158、会議ボタン160、夜の街ボタン162等を表示し、当該ボタンに対応する位置のタッチパネル114がタッチされた場合、選択された選択情景情報SSIが選択情景情報記録手段156に記録されるようになっている。
なお、本発明における「ビジネスシーン」（BS）は、図５に示す（Ａ）オフィス街OS、及び（Ｂ）会議MS等のビジネスに関連する情景をいう。
【００３５】
次に、保管選択手段130を説明する。
保管選択手段130は、ディスプレイ110Dに表示された、後述する推奨された複数のカラーコーディネート情報CCIから１つのカラーコーティネート情報CCIを選択する機能を有する。本実施例においては図15に示すように、ディスプレイ110Dに表示された複数のカラーコーディネート情報CCIから１つを選択出来るようになっている。具体的には、例えば３つのカラーコーディネート情報CCIがディスプレイ110Dの所定位置に表示され、それらに対し対応する位置に第１選択ボタンスイッチ166、第２選択ボタンスイッチ168、及び、第３選択ボタンスイッチ172が表示され、当該ボタンに対応する位置のタッチパネル114がタッチされた場合、選択されたカラーコーディネート情報CCIが選択カラーコーディネート情報SCCIとしてRAM120に記録される。
【００３６】
次に、保管指令手段132を説明する。
保管指令手段132は、例えば、図19に示すように選択カラーコーディネート保管ボタン176に相対する位置のタッチパネル114がタッチされた場合、前述のようにRAM120に一時記録された選択カラーコーディネート情報SCCIを、選択カラーコーティネート情報記録手段174に記録する機能を有する。本実施例においては、ディスプレイ110Dに表示された保管ボタン176に対応する位置のタッチパネル114がタッチされた場合、前述のRAM120に一時記録されたカラーコーディネート情報SCCIが、選択カラーコーティネート情報記録手段174に記録される。しかし、保管ボタン176を個別に設けて同様の処理を開始するようにしても良い。
【００３７】
次に、再表示指令手段134を説明する
再表示指令手段134は、選択カラーコーティネート情報記録手段174に記録した選択カラーコーティネート情報SCCIを、再びカラー表示手段110に表示する機能を有する。本実施例において、再表示指令手段134は、プログラムによって構成され、図20に示すように、ディスプレイ110Dに表示された再読込ボタン178に対応するタッチパネル114の位置がタッチされた場合、選択カラーコーティネート情報記録手段174に記録されているカラーコーディネート情報SCCIが、例えば図21に示すようにディスプレイ110Dに３つ表示され、表示された選択カラーコーディネート情報SCCIの中から選択されたカラーコーディネート情報CCIをディスプレイ110Dに表示するようになっている。しかし、再読込ボタン178を個別に設けて同様の処理を開始するようにしても良い。
【００３８】
次に顔画像情報記録手段136を説明する。
顔画像情報記録手段136は、顔情報入力手段124から入力された顔画像情報FIIを記憶する機能を有し、半導体記憶装置、磁気ディスク(ハードディスクなど)や光学ディスク(CD/DVDなど)、フラッシュメモリ記憶装置(USBメモリ/メモリカード/SSDなど)、磁気テープ等から選択される。本実施例においては半導体記憶装置が用いられる。
【００３９】
次に人体色記録手段139を説明する。
人体色記録手段139は、人体色入力手段135から入力された人体色を、色基準に基づいて定められた数値によって記憶する機能を有する。
前述したように人体色とは、人の肌の色、瞳の色、髪の色、唇の色等を含み、本実施例においては、肌及び瞳の色が採用されている。
したがって、本実施例において人体色記録手段139は、肌色記憶手段182、及び、瞳色記録手段184を含み、これらのハード構成は顔画像情報記録手段136と同様の記録装置を選択できるが、本実施例においては半導体記憶装置が用いられる。
肌色記憶手段182、又は、瞳色記録手段184に記録される肌色情報SCI、又は、瞳色情報PCIは、後述の肌色入力手段186又は瞳色入力手段188によってそれぞれ入力される。
色基準は、公知の色基準、例えば、マンセル・カラーシステム、ウェブカラー、RGBカラーモデル、日本塗料工業会標準色、ＲＡＬ、ナチュラル・カラー・システム (NCS Palette)スウェーデン工業規格、又は、各企業が公開しているカラー標準を用いることができる。しかしながら、本発明はカラー表示手段110を用いることから、世界的な色基準であるRGBカラーモデルを用いている。
RGBカラーモデルは、肌色情報SCI、及び、瞳色情報PCIを赤(Red)、緑 (Green)、青 (Blue)の三原色の明度を数値で表すことが出来、世界的に同一の色を表現出来るからである。
【００４０】
次に印象情報記録手段142を説明する。
印象情報記録手段142は、付与印象入力手段126によって、選択された複数の印象情報GIIを記録する機能を有し、前述した半導体記憶装置等が用いられる。
印象情報GIIとしては、例えば、前述したように「リーダーシップを発揮したい」、「大勢の前で目立ちたい」、「落ち着いてみられたい」、「楽しい人に見られたい」、及び、「清潔感を出したい」等である。
【００４１】
次に情景情報記録手段143を説明する。
情景情報記録手段143は、情景情報入力手段128によって選択される複数の情景情報SIを記録する機能を有し、前述した半導体記憶装置等が用いられる。情景情報SIとしては、前述したように、例えば、図５に示す写真又はイラストに関する情報が記録される。また情景情報記録手段143は、ROM118におけるプログラムの要求に基づいて、記録している情景情報SIを出力する機能を有する。
【００４２】
次に選択付与印象情報記録手段144を説明する。
選択付与印象情報記録手段144は、付与印象入力手段126によって選択された印象情報GIIを記憶する機能を有し、前述した半導体記憶装置等が用いられる。
また選択印象情報記録手段144は、ROM118におけるプログラムの要求に基づいて、記録している印象情報GIIを出力する機能を有する。
【００４３】
次に選択情景情報記録手段156を説明する。
選択情景情報記録手段156は、情景情報入力手段128によって選択された情景情報SCIを記憶する機能を有し、前述した半導体記憶装置等が用いられる。
また選択情景情報記録手段156は、ROM118におけるプログラムの要求に基づいて記録している選択された情景情報CIを出力する機能を有する。
【００４４】
次に選択カラーコーティネート情報記録手段174を説明する。
選択カラーコーティネート情報記録手段174は、保管指令手段132によって選択されたカラーコーディネート情報SCCIを記憶する機能を有し、前述した半導体記憶装置等が用いられる。
また選択カラーコーティネート情報記録手段174は、ROM118におけるプログラムの要求に基づいて記録している選択されたカラーコーディネート情報CCIを出力する機能を有する。
【００４５】
次に人体色入力手段135を説明する。
人体色入力手段135は、人体色、例えば、肌色、瞳色、髪色等を入植する機能を有し、本実施例においては、顔情報入力手段124によって入力された顔画像情報FIIからプログラムによって肌色情報SCI及び瞳色情報PCIを取得するようになっており、肌色入力手段186及び瞳色入力手段188を含んでいる。しかし、人体色入力手段135は、手作業、例えば、個別端末機器102のキーボードを用い、RGBカラーコードにおける明度を入力しても良い。
【００４６】
次に肌色入力手段186を説明する。
肌色入力手段186は、顔情報入力手段124によって入力された顔画像情報FIIから肌色を判別する機能を有し、本実施例においては、プログラムによって、RGBカラーモードにおけるRGBの各明度を０から２５５迄の256の数字で表現した情報として判別し、出力する。例えば、黒色は(0, 0, 0) 、白色は(255, 255, 255) として表され、日本人の肌色情報SCIの代表例としては（248,216,183）にて表される。
なお、顔画像情報FIIから肌色情報SCIを得る手法としては、まず、顔画像情報FIIから顔の輪郭FOLを確定し、当該顔の輪郭FOLから、予め定めた肌色の部分、例えば頬の中央部の位置を特定し、当該特定位置に於ける色情報を判別することにより、肌色情報SCIとして特定する。肌色入力手段186の機能は、管理サーバ106に委ねることもできる。しかし、肌色情報SCIの取得はこれらに限られず、他の手法を採用することができる。例えば、ディスプレイ110Dに肌色見本を表示し、被支援者APに選択させることもできる。
【００４７】
次に瞳色入力手段188を説明する。
瞳色入力手段188は、顔情報入力手段124によって入力された顔画像情報FIIから瞳色を判別する機能を有し、本実施例においては、前記肌色入力手段188と同様にプログラムによって判別される。この瞳色入力手段188も肌色入力手段186と同様に顔の輪郭FOLを特定し、当該顔の輪郭FOLに対する大凡の目の位置を特定し、さらに、顔画像FIから瞳位置を特定し、当該特定位置に於ける色情報を判別することにより、瞳色情報PCIとして特定する。瞳色入力手段188の機能は、管理サーバ106に委ね、又は、他の方式を採用することができる。
【００４８】
次に人体色記録手段139を説明する。
人体色記録手段139は、人体色入力手段135によって入力された人体色情報HCIを記録する機能を有する。本実施例において人体色記録手段139は、肌色記憶手段182及び瞳色記録手段184を含んでいる。
まず肌色記憶手段182を説明する。
肌色記憶手段182は、肌色入力手段186によって入力された肌色情報SCIを記録する機能を有し、前述した半導体記憶装置等が用いられる。
【００４９】
次に瞳色記録手段184を説明する。
瞳色記録手段184は、瞳色入力手段188によって入力された瞳色情報PCIを記録する機能を有し、前述した半導体記憶装置等が用いられる。
【００５０】
次にインターネット通信回線104を説明する。
インターネット通信回線104は、公知の双方向通信可能なコンピュータネットワークである。
【００５１】
次に管理サーバ106を、図４を参照して説明する。
管理サーバ106は、個別情報機器102からの要求に応え、内属するカラーコーディネート情報出力手段192に記録された後述のカラーコーディネートテーブル206から選択した服飾カラーコーディネート情報CCIを個別情報機器102へ出力する機能を有する。本実施例において、管理サーバ106はコンピュータが用いられ、カラーコーディネート情報出力手段192は記録装置及びプログラムによって実現されている。
すなわち、管理サーバ106はカラーコーディネート情報出力手段192、服飾形状情報記録手段194、サーバROM196、サーバRAM198、サーバ表示手段202、サーバCPU204、及び、インターフェース205を含んでいる。
なお、管理サーバ106の機能を個別情報機器102に取り込み、管理サーバ106を用いない構成にすることもできる。これとは逆に、個別情報機器102には各種入力情報の入力機能及び表示機能を担わせ、他の判別機能や記録機能を管理サーバ106に担わせることもでき、さらに、管理サーバ106及び個別情報機器102に担わせる機能は、適宜配分することができる。
【００５２】
まず、カラーコーディネート情報出力手段192を説明する。
カラーコーディネート情報出力手段192は、人体色、本実施例においては肌色情報SCI及び瞳色情報PCI、及び、印象情報GIIを考慮して予め設定された服飾毎のカラー情報CIがカラーコーディネートテーブル206に記録され、個別情報機器102から送信された肌色情報SCI、瞳色情報PCI、及び、印象情報GIIに合致する服飾毎のカラーコーディネート情報CCIを当該カラーコーディネートテーブル206において検索し、出力する機能を有し、カラーコーディネートテーブル記録装置208、及び、カラーコーディネート決定手段212を含んでいる。
【００５３】
最初にカラーコーディネートテーブル206について図６を参照しつつ説明する。
カラーコーディネートテーブル206は、第１優先項目P1としての人体色BC、及び、第２優先項目P2としての付与印象GIによって設定されている。人体色BCは、図６において横軸に配置され、具体的には人体色は、少なくとも瞳色PCに基づいて、第1分類SP、第2分類SU、第３分類AU、又は、第４分類WIの４系統に分類される。本実施例においては、瞳色PC及び肌色SCによって、前述の４分類に分類している。
これらの人体色BCの系統は、更に増加又は減少させることができるが、経験上、本実施例における４分類が最も好ましい。
さらに、第1分類SP、第2分類SU、第３分類AU、又は、第４分類WIは、それぞれRGBカラーモデルにおけるRGB毎の明度が設定されている。
付与印象GIは、図６において縦軸に配置され、まず、付与印象大分類214毎に分けられる。付与印象大分類214としては、「リーダーシップを発揮したい」、「落ち着きがある人に見られたい」等である。
付与印象大分類214毎に、付与印象中分類216によって分類される。
本実施例においては、付与印象大分類214Aにおける「リーダーシップを発揮したい」に対して付与印象中分類216は「知的推進力リーダ」、「爽やか清涼感リーダ」及び「熟れたおしゃれリーダ」が設定され、付与印象大分類214Bにおける「落ち着きがある人に見られたい」に対して「寡黙な落ち着き」、「知的な落ち着き」、及び「優しい落ち着き」が設定されている。
付与印象大分類214は更に数を増加することができると共に、付与印象中分類216は更に数を増加又は減少することができ、付与印象大分類214のみにすることもできる。
付与印象中分類216は服飾218毎に分けられる。本実施例においては、服飾218としてネクタイNT、シャツSH、及び、ジャケットJKが設定されている。しかし、服飾218としては、少なくとも１種類、例えばネクタイNTが設定されれば良く、女性用である場合には服装であるジャケット、ブラウス、スカーフ等、及び／又は、飾品であるネックレス、ブローチ等も設定できる。
そして、服飾218の種類毎に第1分類SP、第2分類SU、第3分類AU、及び、第4分類WI毎にRGBカラーモデルにおけるRGBの明度が設定されている。
例えば、第1優先項目P1においては肌色SC及び瞳色PCの組み合わせによって、第１分類SPにおいてはRが76、Gが153、Bが255の明度による青色、第２分類SUにおいてはRが0、Gが0、Bが204の明度による青色、第３分類AUにおいてはRが0、Gが189、Bが206の明度による青色、及び、第４分類WIはRが0、Gが189、Bが206の明度による青色が設定される。この場合、第２優先項目である付与印象大分類214がリーダーシップを発揮したい214Aである場合、付与印象中分類216が知的推進リーダ216Aである場合、ネクタイNTにおいてはRが0、Gが0、Bが255の青、シャツSHにおいてはRが255、Gが255、Bが255の白、及び、ジャケットJKにおいてはRが0、Gが27、Bが80の黒に設定され、爽やか清涼感リーダ216Bである場合、ネクタイNTはRが0、Gが0、Bが255の青、シャツSHにおいてはRが209、Gが229、Bが255の青、ジャケットJKにおいてはRが128、Gが128、Bが128のグレーに設定され、熟れたオシャレリーダ216Cである場合、ネクタイNTにおいてはRが0、Gが0、Bが255の青、シャツSHにおいてはRが209、Gが229、Bが255の青、ジャケットJKにおいてはRが0、Gが0、Bが0の黒に設定される。他の付与印象大分類214についても同様に予め設定されている。
【００５４】
次にカラーコーディネートテーブル記録装置208を説明する。
カラーコーディネートテーブル記録装置208は、前述したカラーコーディネートテーブル206を記録保持する機能を有し、前述した半導体記憶装置等が用いられる。
【００５５】
次にカラーコーディネート決定手段212を説明する。
カラーコーディネート決定手段212は、人体色入力手段135から入力された人体色情報HCI、本実施例においては肌色入力手段186から入力された肌色情報SCI、及び、瞳色入力手段188から入力された瞳色情報PCI、及び、付与印象入力手段126から入力された印象情報GIIに基づいて、カラーコーディネートテーブル記録装置208に記録されたカラーコーディネートテーブル206において、合致する項目を検索し、かつ、特定する機能を有し、本実施例においては、サーバROMに格納されたプログラムによって検索し、特定する。即ち、肌色入力手段186から入力された肌色情報SCI、及び、瞳色入力手段188から入力された瞳色情報PCIと一致する情報がカラーコーディネートテーブル206における第1優先項目P1において検索し、特定される。次に、第2優先順位P2である付与印象大分類214において、付与印象入力手段126から入力された印象情報GIIと一致する付与印象情報GIIが検索され、特定される。そして、第1優先項目P1及び第2優先項目P2において一致するネクタイNT、シャツSH、及び、ジャケットJKに対応するRGBの数値が選択され、個別情報機器102へ出力する。具体的には、個別情報機器102における肌色入力手段186からの肌色情報SCI及び瞳色入力手段188からの瞳色情報PCIが第１分類SPにおける情報と一致し、次に、付与印象入力手段126から入力された印象情報GIIがカラーコーディネートテーブル206におけるリーダーシップを発揮したい214Aと一致する場合、図６における左上角部分の表に設定されたRGBの数値を選択し、個別情報機器102へ出力する。
【００５６】
次に、服飾形状情報記録手段194を説明する。
服飾形状情報記録手段194は、服飾の形状を記録する機能を有し、前述した半導体記憶装置等が用いられる。本実施例においては、服飾としてネクタイNT、シャツSH、及び、ジャケットJKが設定されているので、これらの形状が記録されている。具体的には、ネクタイ形状情報記録手段194NT、シャツ形状情報記録手段194SH、及び、ジャケット形状記録手段194JKが設けられ、各記録手段には、予め定められた形状情報がそれぞれ記録されている。服飾の形状としては、精緻でなく、一見して服飾の名称が想定される程度であれば良い。例えば、図14に示すように、ネクタイNTは倒立三角形222と縦長三角形224との組み合わせ、シャツSHはネクタイの左側部分226と右側部分228、ジャケットJKはシャツSHの矩形の左側部分232及び右側部分234程度の形状でよい。もちろん、服飾形状はより一層現実の形状に近づけることが好ましい。なお、服飾形状情報記録手段194は、本実施例に限定されず、例えば、カラーコーディネートしたネクタイとNT、シャツSH、及び、ジャケットJKの組を写真撮影した画像を予め記憶しておいても良い。
【００５７】
さらに、管理サーバ106は、被支援者APが本カラーコーディネート支援装置100の支援を受けるために必要な個別情報機器102を構成するため、インターネット通信回線104及び公衆通信回線108を介してダウンロードするプログラムを記録した個別情報機器プログラム記録装置244を備えることが好ましいが、個別情報機器プログラム記録装置244は他のサーバに記録し、DVD等の携帯記録装置に記録しておき、必要な際に、当該他のサーバ又は携帯記録装置から個別情報機器102にインストールすることができる。
【００５８】
次に、サーバROM196を説明する。
サーバROM196は、ROM118と同様の機能を有する。
【００５９】
次に、サーバRAM198を説明する。
サーバRAM198は、RAM120と同様の機能を有する。
【００６０】
次に、サーバ表示手段202を説明する。
サーバ表示手段202はカラー表示手段110と同様の機能を有する。
【００６１】
次に、サーバCPU204を説明する。
サーバCPU204はCPU124と同様の機能を有する。
【００６２】
次に公衆通信回線108を説明する。
公衆通信回線108は、多数の個別情報機器102とインターネット104とを双方向通信可能に接続する機能を有し、有線方式又は無線方式、もしくは、電気通信又は光通信等の手段を問わない。本実施例においては、電気通信事業者236における、無線通信回線238又は電気又は光による有線通信回線242を用いることができる。
【００６３】
次に本カラーコーディネート支援装置100の作用について図７に示すフローチャートをも参照して説明する。
被支援者APが本カラーコーディネート支援装置100の支援を受けるためには、まず、管理サーバ106にアクセスし、個別情報機器プログラム記録装置244からインターネット通信回線106及び公衆通信回線108を介して個別情報機器プログラムを個別情報機器102にダウンロードし、インストールする。
【００６４】
インストール後、個別情報機器102のプログラムを立ち上げると、ステップSP-1においてディスプレイ110Dに、例えば、図８に示すスタート画面SPを表示した後ステップSP-2へ進む。即ち、予め設定されている文字情報及び画像と共に、ディスプレイ110Dの下部に、初めて利用する場合に選択する初めての方ボタン248、及び、２回目以降の方ボタン252が並列表示される。
今回は初めてなので、ステップST-2において初めての方ボタン248に対応する位置のタッチパネル114がタッチされた場合、ステップST-3へ進み、ディスプレイ110Dに、例えば図９に示すガイダンス画面GPを表示すると共に、次へボタン254を表示した後、ステップSP-4へ進む。なお、２回目以降の方ボタン252に対応する位置のタッチパネル114がタッチされた場合、後述のステップSP-27〜SP-29が実行された後、ステップSP-10へ進行する。
【００６５】
被支援者APがガイダンスを読んだ後、ステップSP-4において次へボタン254に対応する位置のタッチパネル114をタッチした場合、ステップSP5へ進み、ディスプレイ110Dに、例えば図10に示す顔撮影画面FTPを表示すると共に、撮影ボタン138及びやり直しボタン140を並列表示した後、ステップSP-6へ進む。顔撮影画面FTPは、ディスプレイ110Dの中央上部に縦長楕円形の顔枠136が表示され、顔枠136の下側に表示された略矩形の服飾枠256にガイドメッセージを表示する。具体的には、顔枠136が上側、服飾枠256が下側に配置され、大凡、人型をイメージできるように配置されている。
被支援者APが個別情報機器102におけるカメラ115のズーム度を調整し、自分の顔が顔枠136一杯に調整した後、撮影ボタン138に対応する位置のタッチパネル114がタッチされた場合、個別情報機器102に内蔵されているカメラ115によって撮影され、顔画像保存画面FIKPがディスプレイ110Dに表示される。例えば、図11に示すように顔枠136内に顔画像FIが表示されると共に、その顔画像情報FIIはRAM120に一時的に記憶された後、ステップSP-9へ進む。この場合、ディスプレイ110Dの下部には、保存ボタン141及びやり直しボタン140が表示される。やり直しボタン140に対応する位置のタッチパネル114がタッチされた場合、ステップSP-5へ戻る。
【００６６】
顔画像保存画面FIKPにおいて、保存ボタン141に対応する位置のタッチパネル114がタッチされた場合、ステップSP-10へ進み、RAM120に一時記録された顔画像情報FIIは、顔画像情報記録手段136に記憶された後、ステップSP-11へ進み、例えば図12に示す情景選択画面SSPが表示され、顔画像FI、服飾枠256と共に、オフィス街ボタン158、会議ボタン160、及び、夜の街ボタン162が表示されて後、ステップSP-12へ進む。すなわち、カラーコーディネートを受けた服飾を着用する場所の情景情報SIを、複数の候補から選択できるようにする。なお、この画面おいては、図12に示すように、情景情報SIの選択以外に、シャツSHの柄を選択する無地ベージュボタン266、及び、無地ホワイトボタン268、並びに、ジャケットJKの柄を選択するドットボタン272、ストライプボタン274、及び、チェックボタン276等を表示することができる。当然のことながら、情景情報SIは前述の３つに限定されず、他の情景情報SIを選択できるようにすることができる。
【００６７】
ステップSP-12において、オフィス街ボタン158、会議ボタン160、又は、夜の街ボタン162の内の１に対応する位置のタッチパネル114がタッチされた場合、ステップSP-13へ進む。
ステップSP-12において会議ボタン160に対応する位置のタッチパネル114がタッチされた場合、情景情報記録手段143に記録されている会議情景、本実施例においては図５における（B）の情景情報SIが出力されたた後、ステップSP-14へ進む。
【００６８】
ステップSP-13において、ディスプレイ110Dには情景保存画面SIKP、例えば図13に示す情景保存画面SIKPが表示される。すなわち、ディスプレイ110Dの略中央に顔枠136によって囲われた顔画像FIが表示され、当該顔画像FIの下端部に隣接して大凡横長矩形の服飾枠256が表示されると共に、少なくとも顔画像FIに対する一側方である左又は右側方に選択した情景情報SIが表示される。好ましくは、顔画像FIの左右側方及び上方に選択した情景情報SIが表示される。さらに好ましくは、この情景情報SIは、さらに、服飾枠256の左右、及び／又は、下方、若しくは、ディスプレイ110D全体にも背景として表示することができる。この情景保存画面SIKGにおける下部位置には、情景保存ボタン280、及び、やり直しボタン281が表示される。
【００６９】
ステップSP-14において、情景保存ボタン280に対応する位置のタッチパネル114がタッチされた場合、ステップSP-15へ進み、選択した情景情報SIが選択情景情報記録手段156に記録された後、ステップSP-16へ進み、例えば、図14に示すように、付与印象選択画面GISPが表示され、ガイドメッセージと共に、付与印象情報GIIの付与印象選択ボタン145が表示された後、ステップSP-17に進む。付与印象情報GIIの付与印象選択ボタン145としては、例えば、リーダーシップを発揮したいボタン146、大勢の前で目立ちたいボタン148、落ち着いて見られたいボタン150、楽しい人に見られたいボタン152、及び、初対面の女性に好感を持ってもらうボタン154である。
【００７０】
ステップSP-17において、リーダーシップを発揮したいボタン146、大勢の前で目立ちたいボタン148、落ち着いて見られたいボタン150、楽しい人に見られたいボタン152、又は、初対面の女性に好感を持ってもらいたいボタン154に対応する位置のタッチパネル114がタッチされた場合、ステップSP-18へ進み、選択印象情報記録手段144には選択された付与印象情報GIIが記録されと共に、管理サーバ106にカラーコーディネート指令CCDが出力される。カラーコーディネート指令CCDには、肌色記録手段182に記録されている肌色情報SCI、及び、瞳色記録手段184に記録されている瞳色情報PCI、選択印象情報記録手段144に記録されている付与印象情報GIIが含まれている。
【００７１】
カラーコーディネート指令CCDを受けた管理サーバ106は、カラーコーディネート決定手段212によって、個別情報機器102から提供された肌色情報SCI、瞳色情報PCI、及び、印象情報GIIに基ついて、カラーコーディネートテーブル206中より、それら条件が一致する情報を検索して特定し、当該条件によって定められたカラーコーディネート情報CCIを個別情報機器102へ出力する。具体的には、ステップSS-1において、カラーコーディネートテーブル記録装置208において記録されているカラーコーディネートテーブル206中より、肌色情報SCI、及び、瞳色情報PCIによって、第１優先項目P1における第1分類SPから第４分類WIの何れに当てはまるか決定され、続いて第２優先項目であるP1における、付与印象大分類214における、印象情報GIIと一致する項目が検索された後、特定される。例えば、第1優先項目P1が第１分類SPである場合において、第２優先順位P2である印象情報GIIがリーダーシップを発揮したいである場合、付与印象中分類216における、知的推進力リーダ、爽やか清涼感リーダ216B、及び、熟れたオシャレリーダ216Cにおける、ネクタイNT、シャツSH、及び、ジャケットJTにおける第1分類に設定されているRGBの明度の数値が選択された後、ステップSS-2に進み、ネクタイ形状情報記録手段194NT、シャツ形状情報記録手段194SH、及び、ジャケット形状情報手段194JKに記録されているネクタイ形状情報NYFI、シャツ形状情報SHFI、及び、ジャケット形状情報JKFIが、インターネット通信回線104、及び、公衆通信回線242を介して個別情報機器102へ送信される。
【００７２】
個別情報機器102は、ステップSP-18において、選択された印象情報GI1を選択印象情報記録手段144に記録し、ステップSP-19へ進む。
【００７３】
ステップSP-19において、管理サーバ106から送信されたネクタイ形状情報NYFIに基づいて、推奨ネクタイカラー画面PNCPをディスプレイ110Dに表示する。推奨ネクタイカラー画面PNCPは、例えば、図15に示すように服飾枠256内にネクタイNYを表示し、かつ、顔画像FIの左右両側に選択された情景情報SI、本実施例においては会議情景MSをイメージできる情景情報SIを表示し、ステップSP-20へ進む。推奨ネクタイカラー画面PNCPの下部には、シャツやジャケットとのオススメコーディネートボタン218及び終了ボタン220が表示される。
【００７４】
ステップSP-20において、管理サーバ106から送信された、デフォルト情報として設定されている知的推進力リーダ216Aに対応するネクタイNTに対するRGBのカラー情報によって、当該ネクタイNYの形状が着色された後、ステップSP-21へ進む。被支援者APは推奨ネクタイカラー画面PNCPを見て、自己の顔と情景とネクタイNTの色とがマッチするか判断し、更にシャツやジャケットとのコーディネート情報が欲しい場合、シャツやジャケットとのオススメコーディネートボタン218に対応する位置のタッチパネル114をタッチする。これによりステップSP-21へ進み、推奨カラーコーディネート画面PCCPが表示される。
【００７５】
被支援者APがこのネクタイNTのカラー表示を見た後、このサービスを終了する場合、ステップSP-21において、終了ボタン220に対応する位置のタッチパネル114にタッチした場合、ステップSP-1へ戻る。
ステップSP-21において、シャツ＆ジャケットカラーディネートボタン218に対応する位置のタッチパネル114がタッチされた場合、ステップSP-22へ進む。
【００７６】
ステップSP-22において、推奨カラーコーディネート画面PCCPを表示する。推奨カラーコーディネート画面PCCPは、例えば図16に示すように、複数、本実施例では第１〜第３推奨カラーコーディネート態様CCF１、CCF2及びCCF3を表示することが好ましい。しかし、推奨カラーコーディネート態様は２以上の複数態様又は１態様でも良い。
本実施例におけるカラーコーディネートテーブル206においては、付与印象中分類216が知的推進力リーダ216A、爽やか清涼感リーダ216B、及び、熟れたオシャレリーダ216Cが設定されているため、知的推進力リーダ216Aに対応して第１推奨カラーコーディネート態様CCF１、爽やか清涼感リーダ216Bに対応して第２推奨カラーコーディネート態様CCF２、及び、熟れたオシャレリーダ216Cに対応して第３推奨カラーコーディネート態様CCF３が、縦方向一列に配置されている。
第１推奨カラーコーディネート態様CCF１、第２推奨カラーコーディネート態様CCF2、及び、第３推奨カラーコーディネート態様CCF3は同一の態様において表示されるので、第１推奨カラーコーディネート態様CCF１を代表して説明する。表示位置形状決め手段110Lは、上側に顔画像FI-1、下側に服飾枠256-1を隣接配置し、かつ、情景情報SI-1を顔画像FIの左右両側に配置されている。第１〜第３推奨カラーコーディネート態様CCF１、CCF2及びCCF3において用いる顔画像FI、服飾枠256、及び、情景情報SIの符号は、同一数字に-1乃至-3を付することで区別する。
第１推奨カラーコーディネート態様CCF１は、例えば、カラーコーディネートテーブル206における付与印象中分類216における知的推進力リーダ216Aであり、第２推奨カラーコーディネート態様CCF２は爽やか清涼感リーダ216Bであり、及び、第３推奨カラーコーディネート態様CCF３は熟れたオシャレリーダ216Cである。したがって、第１推奨カラーコーディネート態様CCF１におけるネクタイNY-1は、Ｒが０、Gが０、Bが255の青色に着色され、シャツSH-1はRGBの全てが255である白色に着色され、ジャケットJKはRが０、Gが27、Bが80の薄黒色に表示される。第２推奨カラーコーディネート態様CCF２におけるネクタイNY-2は、Ｒが０、Gが０、Bが255の青に着色され、シャツSH-2はRが209、Gが229、Bが255の薄青色に着色され、ジャケットJKはRが128、Gが128、Bが128の灰色に表示される。第３推奨カラーコーディネート態様CCF３におけるネクタイNY-３は、Ｒが０、Gが０、Bが255の青色に着色され、シャツSH-３はRが209、Gが229、Bが255の薄青色に着色され、ジャケットJKはRGBの全てが０の黒色に表示される。さらに、第1から第3カラーコーディネート形態CCF1〜CCF3に相対する側方位置に、知的推進リーダボタン166、爽やか清潔感リーダ168、及び、熟れたオシャレリーダボタン172が表示される。
【００７７】
ステップSP-23において、知的推進リーダボタン166、爽やか清潔感リーダ168、又は、熟れたオシャレリーダボタン172の何れかに対応する位置のタッチパネル114がタッチされた場合、ステップSP-24へ進み選択推奨カラーコーディネート画面SCCPが表示された後、ステップSP-25へ進む。ステップSP-24における選択推奨カラーコーディネート画面SCCPは、例えば、図17に示すように、所定のメッセージボックス282と共に、選択されたカラーコーディネート情報CCIによってネクタイNY、シャツSH、及び、ジャケットJKが着色されれた服飾枠256が、顔画像FIと共に人型にディスプレイ110Dの中央に大きく表示され、かつ、ディスプレイ110Dの下部には次へボタン283が表示される。この場合にも、情景情報SI（会議情景MS）は少なくとも顔情報FIの左右に配置され、実際にコーディネートされた服飾を着用した場合における使用情景の把握がし易いようにしてある。
【００７８】
ステップSP-25において、次へボタン294に対応する位置のタッチパネル114がタッチされた場合、ステップSP-26へ進み、ディスプレイ110Dに説明画面EPが表示された後、ステップSP-27へ進む。説明画面EPは、例えば、図18に示すように、第１推奨カラーコーディネート態様CCF１と共に、メッセージボックス284、ネクタイ型のネクタイ表示ボックス286、矩形のジャケット表示ボックス288、及び、矩形のシャツ表示ボックス292を設け、これらを知的推進リーダ216Aにおけるカラーコーディネート情報CCIに基づくカラーで着色する。また、ディスプレイ110Dの下部には、第２次へボタン294及び戻るボタン296が表示される。戻るボタン296に対応する位置のタッチパネル114がタッチされた場合、ステップSP-24へ戻る。
【００７９】
ステップSP-27において、次へボタン294に対応する位置のタッチパネル114がタッチされた場合、ステップSP-28へ進む。ステップSP-28において、クローゼット画面CRPを表示した後、ステップSP-29へ進む。クローゼット画面CRPは、例えば、図19に示すように、ディスプレイ110Dの中央部に選択したネクタイNY、シャツSH及びジャケットJKが前述のように人型に配置されると共に、カラーコーディネートされた画像が表示され、ディスプレイ110Dの下部には保管ボタン176が表示される。
【００８０】
ステップSP-29において、保管ボタン176に対応する位置のタッチパネル114がタッチされた場合、ステップSP-30へ進み、ディスプレイ110Dに表示されているカラーコーディネート情報CCIを選択カラーコーディネート情報記録手段174に記録し、ステップTS-1へ戻る。
【００８１】
ステップSP-2において、２回目以降の方ボタン252に対応するタッチパネル114がタッチされた場合、ステップSP-31へ進み、選択画面SPがディスプレイ110Dに表示される。選択画面SPは、例えば、図20に示すように、。所定のメッセージと共に、新情景ボタン302及び再読込ボタン304を表示する。
新情景ボタン302に対応する位置のタッチパネル114がタッチされた場合、ステップSP-10へ進み、前述したように情景選択画面SSPが表示される。これ以降前述の手順によってカラーコーディネートが行われる。
【００８２】
再読込ボタン304に対応する位置のタッチパネル114がタッチされた場合、ステップSP-32へ進み、第2選択画面SP2が表示された後、ステップSP-33へ進む。第2選択画面SP-2は、例えば、図21に示す選択画面がディスプレイ110Dに表示される。即ち、選択カラーコーディネート情報記録手段174に記録されているカラーコーディネート形態がディスプレイ110Dに、例えば、第1選択画像306、第2選択画像308、及び、第3選択画像312の３つが表示されると共に、それらに対応する側方に第1選択ボタン314、第2選択ボタン316、及び、第3選択ボタン318、並びに、他に記録されている場合、次の画像を表示できる次へボタン322が表示される。
【００８３】
第1選択ボタン314、第2選択ボタン316、又は、第3選択ボタン31８に対応する位置の何れかのタッチパネル114がタッチされた場合、ステップSP-33へ進み、選択カラーコーディネート情報記録手段174に記録されている情報から、選択された画像をディスプレイ110Dの中央部に表示すると共に、下部に新コーディネートボタン322及び終了ボタン324が並置表示され、ステップSP-34へ進む。
【００８４】
ステップSP-34において、新コーディネートボタン322に対応する位置のタッチパネル114がタッチされた場合、ステップSP-11へ進む。終了ボタン324に対応する位置のタッチパネル114がタッチされた場合、ステップSP-1へ戻る。
【００８５】
なお、本カラーコーディネート支援装置100は、原則的には実質的に１の事業者が全体構成を構築することを想定しているが、複数の事業者によって分担して構築した場合であっても、その構築したカラーコーディネート支援装置100の主たる機能を発揮させる事業者が主たる実施者になり、その他の関係事業者は間接的実施者になるものである。
【符号の説明】
【００８６】
１００    カラーコーディネート支援装置
１０２−１〜１０２−ｎ  個別情報機器
１０４    インターネット通信回線
１０６    管理サーバ
１０８    公衆通信回線
１１０    カラー表示手段
１１０Ｌ  表示位置形状決め手段
１１０Ｄ  ディスプレイ
１１５    撮像用カメラ
１１６    ＣＰＵ
１１８    ＲＯＭ
１２０    ＲＡＭ
１２２    クロック
１２４    顔情報入力手段
１２６    付与印象入力手段
１２８    情景情報入力手段
１３０    保管選択手段
１３２    保管指令手段
１３４    再表示指令手段
１３５    人体色入力手段
１３６    顔枠
１３８    撮影ボタン
１３９    人体色記録手段
１４０    やり直しボタン
１４３    情景情報記録手段
１４５    付与印象選択ボタン
１４６    リーダーシップを発揮したいボタン
１４８    大勢の前で目立ちたいボタン
１５０    落ち着いて見られたいボタン
１５２    楽しい人に見られたいボタン
１５４    初対面の女性に好感を持ってもらいたいボタン
１５６    選択情景記録ボタン
１５８    オフィス街ボタン
１６０    会議ボタン
１６２    夜の街ボタン
１６６    第１選択ボタンスイッチ
１６８    第２選択ボタンスイッチ
１７２    第３選択ボタンスイッチ
１７４    選択カラーコーディネート情報記録手段
１７６    保管ボタン
１７８    再読込ボタン
１８２    肌色記憶手段
１８４    瞳色記録手段
１８６    肌色入力手段
１８８    瞳色入力手段
１９２    カラーコーディネート情報出力手段
１９４    服飾形状記録手段
１９６    サーバＲＯＭ
１９８    サーバＲＡＭ
２０２    サーバ表示手段
２０４    サーバＣＰＵ
２０６    カラーコーディネートテーブル
２０８    カラーコーディネートテーブル記録装置
２１２    カラーコーディネート決定手段
２１４    付与印象大分類
２１６    付与印象中分類
２１８    オススメコーディネートボタン
２２０    終了ボタン
２２４    倒立三角形
２２６    縦長三角形
２３６    電気通信事業者
２３８    無線通信回線
２４２    有線通信回線
２５６    服飾枠
２８０    情景保存ボタン
２８１    やり直しボタン
２９４    次へボタン
２９６    戻るボタン
３０６    第１選択画像
３０８    第２選択画像
３１２    第３選択画像
３１４    第１選択ボタン
３１６    第２選択ボタン
３１８    第３選択ボタン
【要約】
【課題】  
本発明の目的は、被支援者が、被支援者に適合するかどうかの判断がしやすいカラーコーディネート支援装置を提供することである。
【解決手段】
個別情報機器から被支援者の顔画像が入力され、当該顔画像から肌色情報、及び、瞳色情報が判別入力され、並びに、付与したい印象情報、及び、情景情報が入力手段から入力される。カラーコーディネートテーブルには、肌色及び瞳色情報、並びに、与えたい印象情報に基づいて服飾毎に予め設定されたRGBカラーモードにおける明度数値が記録されている。個別情報機器から入力された肌色、瞳色及び印象情報と一致する項目が選択され、服飾のRGBカラーモードの明度情報が出力され、個別情報機器における表示手段に、顔画像及び情景情報と共に当該明度情報によって服飾をカラー表示する。
【選択図】図１【図１】
0005920799.tif 000002
【図２】
0005920799.tif 000003
【図３】
0005920799.tif 000004
【図４】
0005920799.tif 000005
【図５】
0005920799.tif 000006
【図６】
0005920799.tif 000007
【図７】
0005920799.tif 000008
【図８】
0005920799.tif 000009
【図９】
0005920799.tif 000010
【図１０】
0005920799.tif 000011
【図１１】
0005920799.tif 000012
【図１２】
0005920799.tif 000013
【図１３】
0005920799.tif 000014
【図１４】
0005920799.tif 000015
【図１５】
0005920799.tif 000016
【図１６】
0005920799.tif 000017
【図１７】
0005920799.tif 000018
【図１８】
0005920799.tif 000019
【図１９】
0005920799.tif 000020
【図２０】
0005920799.tif 000021
【図２１】
0005920799.tif 000022